(57)【要約】【課題】スプライス回路及びスルー回路を形成するスプライス吸収コネクタにおいて、部品点数及び作業工数の削減を図る。【解決手段】雄コネクタ３０の端子収容室３１に雄端子１１と第１雌端子１０Ａを収容する一方、雌コネクタ４０の端子収容室４１に第２雌端子１０Ｂを収容し、雄コネクタ３０と雌コネクタ４０とをコネクタ接続すると、雄コネクタ３０に収容された雄端子１１は雌コネクタ４０に収容された第２雌端子１０Ｂと接続されてスルー回路が形成される一方、雄コネクタ３０に収容された第１雌端子１０Ａは、スプライス接続用の複数のタブ２０ｂを備えたスプライス用バスバー２０を介して雌コネクタ４０に収容された第２雌端子１０Ｂと接続されてスプライス回路が形成される。【選択図】  図７
2004273269.tif 000002
【特許請求の範囲】
【請求項１】
嵌合接続される雌コネクタと雄コネクタとを備え、該雄コネクタに設ける端子収容室を雄端子と雌端子のいずれもが挿入係止できる雄・雌共用の端子収容室とし、該雌雄共用の端子収容室内に挿入係止する第１雌端子に接続されるスプライス用バスバーを設け、該スプライス用バスバーは基板部の一辺から上記第１雌端子に嵌合される第１タブを突出させていると共に対向する他辺から上記雌コネクタ内に収容係止される第２雌端子に嵌合させる第２タブを突出させ、上記スプライス用バスバーの第１タブと第２タブのいずれか一方を複数本の第１雌端子あるいは第２雌端子と接続する一方、第１タブと第２タブのいずれか他方を１本あるいは複数本の上記第１雌端子あるいは第２雌端子と接続してスプライス回路を形成し、
上記雄コネクタの端子収容室内に挿入係止する上記雄端子のタブ先端と、上記第１雌端子に接続されるスプライス用バスバーの第２タブの先端とが、雄コネクタ内に同一線上に配置され、該雄コネクタが雌コネクタに嵌合させると、該雌コネクタの第２雌端子に上記雄コネクタ内の雄端子のタブとスプライス用バスバーの第２タブとがそれぞれ嵌合接続され、スルー回路と上記スプライス回路とを形成できる構成としていることを特徴とするスプライス吸収用コネクタ。
【請求項２】
上記スプライス用バスバーは基板部の上記一辺と他辺から対向させて第１タブと第２タブとが突出し、かつ、基板部の長さ方向に沿って同一ピッチで第１タブ、第２タブを夫々突出させ、該ピッチは上記端子収容室のピッチと対応させている請求項１に記載のスプライス吸収用コネクタ。
【請求項３】
上記スプライス用バスバーは連続材からなり、上記第１雌端子と接続する第１タブの個数に応じて切断して用いられるものである請求項２に記載のスプライス吸収用コネクタ。
【請求項４】
上記雄コネクタの雌雄共用の端子収容室は、上記第１雌端子が挿入できる高さとすると共に、該第１雌端子および上記雄端子に設ける係止穴の位置を、各端子収容室内で同一位置に突出させる係止片が係止できる位置に設定している請求項１乃至請求項３のいずれか１項に記載のスプライス吸収用コネクタ。
【発明の詳細な説明】
【０００１】
【発明の属する技術分野】
本発明は、スプライス吸収コネクタに関し、詳しくは、一対の雄コネクタと雌コネクタの嵌合接続によりスプライス回路とスルー回路とを同時に形成するものである。
【０００２】
【従来の技術】
従来、自動車に配索するワイヤハーネスをスプライス接続するコネクタとして、実開昭５６−１１５８７８号において、図９に示すスプライス吸収コネクタ１が開示されている。このスプライス吸収コネクタ１は、中間ハウジング２内にベース端子部３ａの一端に複数の分岐端子部３ｂを設けている分岐端子３を取り付け、電線ｗの端末に接続した雌端子を収容した雌コネクタ４、５を両側から中間ハウジング２に挿入し、上記分岐端子３と雌コネクタ４、５内の雌端子（図示せず）とを雌雄嵌合して雌コネクタ４、５に接続した電線ｗをスプライス接続している。
【０００３】
【特許文献１】
実開昭５６−１１５８７８号公報
【０００４】
【発明が解決しようとする課題】
しかしながら、上記スプライス吸収コネクタ１であると、スプライス接続する２つの雌コネクタ４、５以外に分岐端子３を収容する中間ハウジング２を必要とし、  コネクタハウジングが３つとなる。また、スプライス吸収コネクタ１内で、雌コネクタ４、５内に収容している端子同士を１：１で接続してスルー回路を同時に形成する場合、雌コネクタ４、５内の端子は雌端子同士であるため、接続するには別部材の中継端子が必要となり部品点数が増加する。
さらに、中間ハウジング２の両側にそれぞれ雌コネクタ４、５を嵌合接続しなければならず、作業工数も増加するという問題がある。
【０００５】
本発明は上記問題に鑑みてなされたものであり、上記中間ハウジングを不要とし、雌雄コネクタの嵌合でスプライス回路とスルー回路とを形成できるようにし、部品点数および作業工数の削減することを課題としている。
【０００６】
【課題を解決するための手段】
上記課題を解決するため、本発明は、嵌合接続される雌コネクタと雄コネクタとを備え、該雄コネクタに設ける端子収容室を雄端子と雌端子のいずれもが挿入係止できる雄・雌共用の端子収容室とし、該雌雄共用の端子収容室内に挿入係止する第１雌端子に接続されるスプライス用バスバーを設け、該スプライス用バスバーは基板部の一辺から上記第１雌端子に嵌合される第１タブを突出させていると共に対向する他辺から上記雌コネクタ内に収容係止される第２雌端子に嵌合させる第２タブを突出させ、上記スプライス用バスバーの第１タブと第２タブのいずれか一方を複数本の第１雌端子あるいは第２雌端子と接続する一方、第１タブと第２タブのいずれか他方を１本あるいは複数本の上記第１雌端子あるいは第２雌端子と接続してスプライス回路を形成し、
上記雄コネクタの端子収容室内に挿入係止する上記雄端子のタブ先端と、上記第１雌端子に接続されるスプライス用バスバーの第２タブの先端とが、雄コネクタ内に同一線上に配置され、該雄コネクタが雌コネクタに嵌合させると、該雌コネクタの第２雌端子に上記雄コネクタ内の雄端子のタブとスプライス用バスバーの第２タブとがそれぞれ嵌合接続され、スルー回路と上記スプライス回路とを形成できる構成としていることを特徴とするスプライス吸収用コネクタを提供している。
【０００７】
上記構成では、雄コネクタの端子収容室を雄端子と雌端子（第１雌端子）の両方を収容係止できる構成とし、スルー回路を構成する雄端子は雌コネクタの雌端子と直接嵌合する一方、スプライス回路を構成する雌端子（第１雌端子）には、両端の雄タブ（第１タブと第２タブ）を突設したスプライス用のバスバーの第１タブを接続して継ぎ足し、第２タブを雌コネクタの雌端子（第２雌端子）と接続している。このように、雄コネクタに収容している第１雌端子に予めスプライス用バスバーを取り付けておくと、従来使用していた中間ハウジングが不要となり、かつ、スルー回路は雄コネクタの雄端子と雌コネクタの雌端子（第２雌端子）を直接接続するば良いために中継端子必要とせず、部品点数の削減を図ることができる。かつ、コネクタ組みつけ作業も１度の作業ですみ、作業手数を削減することができる。
【０００８】
上記スプライス用バスバーの第１タブを雄コネクタ側の第１雌端子と接続する個数、第２タブと雌コネクタ側の第２雌端子と接続する個数はスプライスの形態に応じで任意に対応でき、多様なスプライス回路を共用のスプライス用バスバーで形成することができる。
【０００９】
上記スプライス用バスバーは基板部の上記一辺と他辺から対向させて第１タブと第２タブとが突出し、かつ、基板部の長さ方向に沿って同一ピッチで第１タブ、第２タブを夫々突出させ、該ピッチは上記端子収容室のピッチと対応させている。
上記構成とすると、雄コネクタと雌コネクタを嵌合する際、雄コネクタの第１雌端子に第１タブを挿入係止したバスバーの第２タブが雌コネクタの端子収容室に挿入されて、該端子収容室に収容した第２雌端子と接続することができる。
【００１０】
上記スプライス用バスバーは連続材からなり、上記第１雌端子と接続する第１タブの個数に応じて切断して用いられるものである。
上記構成とすると、スプライスする端子の個数に応じて連続材を切断して用いればよく、多種類のスプライス用バスバーを個別に作成しておく必要がない。
なお、該スプライス用バスバーから突出する第１タブ、第２タブのうち端子接続に使用しない不要なタブは、必ず相手方コネクタの空き端子収容室に挿入されるため切除する必要はない。
【００１１】
上記雄コネクタの雌雄共用の端子収容室は、上記第１雌端子が挿入できる高さとすると共に、該第１雌端子および上記雄端子に設ける係止穴の位置を、各端子収容室内で同一位置に突出させる係止片が係止できる位置に設定している。
即ち、雄端子よりも雌端子の方が高さが大であるため、端子収容室の高さは雌端子が収容できる高さとしている。かつ、雄端子と雌端子の係止穴の位置は従来相違しているが、本発明では電線接続位置から係止穴までの寸法を一致させる一方、端子収容室内の係止片の位置も同一位置に設定している。よって、雄端子と雌端子の両方がどの端子収容室内にも挿入係止することができ、使い勝手の良いものとなる。
【００１２】
【発明の実施の形態】
以下、本発明の実施の形態を図面を参照して説明する。
図１乃至図８は、本発明の実施形態を示し、雄コネクタ３０と雌コネクタ４０は、インストルメントパネルに沿って配索するインストルメントパネルハーネスの電線ｗ１とサイドドアに配索する電線ｗ２とをスプライス接続及びスルー接続するものである。
【００１３】
図１に示す雌端子１０は、雄コネクタ３０に挿入係止する第１雌端子１０Ａ、雌コネクタ４０に挿入係止する第２雌端子１０Ｂとして使用されるものである。
上記雌端子１０（１０Ａ、１０Ｂ）は、ボックス形状で先端から接触用舌片１０ａ−１を内部に折り返した電気接触部１０ａ、芯線圧着用バレル１０ｂ、絶縁被覆圧着用バレル１０ｃを備え、芯線圧着用バレル１０ｂを電線端末から露出させた芯線に、絶縁被覆圧着バレル１０ｃを電線の絶縁被覆にそれぞれかしめ圧着している。電気接続部１０ａの下部にはコネクタの端子収容室の係止片に係止する係止穴１０ｄを設け、該係止穴１０ｄと係止片が当接する係止面１０ｄ−１から電気接続部１０ａの先端までの長さをＬ１としている。また、電気接続部１０ａの高さはＬ２としている。
【００１４】
上記第１雌端子１０Ａは、雄コネクタ３０の端子収容室３１に挿入係止され、電気接触部１０ａにスプライス用バスバー２０が挿入接続される一方、第２雌端子１０Ｂは雌コネクタ４０の端子収容室４１に収容される。
【００１５】
上記スプライス用バスバー２０は、平板状の基板部２０ａの両側からそれぞれ長さ方向に沿って一定ピッチで複数のタブ２０ｂを突出させた形状とし、一方辺に沿ったタブを第１タブ２０ｂ−１、他方辺に沿ったタブを第２タブ２０ｂ−２とし、第１タブと第２タブとは対向位置に突出している。
該スプライス用バスバー２０の厚さをＬ３、端子部２０ｂの幅をＬ４としている。該スプライス用バスバー２０は、連続材からなり、スプライス接続する端子数に応じて基板部２０ａを切断して使用している。本実施形態では、基板部２０ａの両側にそれぞれ２つのタブ２０ｂを残して基板部２０ａを切断し、略Ｈ形状としている。
【００１６】
上記スプライス用バスバー２０は、第１タブ２０ｂ−１を第１雌端子１０Ａの電気接触部１０ａに、第２タブ２０ｂ−２は第２雌端子１０Ｂの電気接触部１０ａそれぞれ挿入すると、電気接触部１０ａ内の接触用舌片１０ａ−１で弾性挟持される。
上記第１タブ２０ｂ−１が雄コネクタ３０の第１雌端子１０Ａに挿入係止された状態で、電気接触部１０ａの先端から第２タブ２０ｂ−２の先端までの長さはＬ５としている。
【００１７】
図３に示す雄端子１１は、先端部にタブ１１ａを備え、該タブ１１ａに連続して拡径部１１ｂ、ボックス部１１ｃ、芯線圧着用バレル１１ｅ、絶縁被覆圧着用バレル１１ｆを備え、上記芯線圧着用バレル１１ｅ、絶縁被覆圧着用バレル１１ｆを電線端末にかしめ圧着している。上記ボックス部１１ｃの下面に係止穴１１ｄを設けている。
雄端子１１の係止穴１１ｄと雄コネクタ３０の端子収容室３１の係止片が当接する係止面１１ｄ−１からボックス部１１ｃの先端までの長さをＬ１、ボックス部１１ｃの高さをＬ２、タブ１１ａの厚さをＬ３、幅をＬ４、端子部１１ｃの先端からタブ１１ａの先端までの長さをＬ５とし、上記第１雌端子１０Ａにスプライス用バスバー２０を接続した状態での上記Ｌ１〜Ｌ５と同一長さとしている。
【００１８】
図４に示す雄コネクタ３０は、インストルメントパネルハーネスの電線ｗ１に接続されるものである。外面にロック枠３４を備えたハウジング３５内に一方側に複数の端子収容室３１を設けていると共に他方側に雌コネクタ嵌合部３２を形成するフードを設けている。端子収容室３１とコネクタ嵌合部３２の間には、端子収容室３１に向かって拡径する拡径部３３を設け互いに連通させている。端子収容室３１は雄端子１１と第１雌端子１０Ａのいずれもが挿入係止できる雄・雌共用の端子収容室とし、その底面には収容する第１雌端子１０Ａと雄端子１１の係止穴１０ｄ、１１ｄに係止する係止片３６を設けている。係止片３６の係止面３６ａから端子収容室３１と拡径部３３の境界位置までの長さをＬ１として、上記第１雌端子１０Ａと雄端子１１のＬ１と同一長さとしている。また、端子収容室３１の高さＬ２’は第１雌端子１０Ａの電気接続部１０ａの高さＬ２、雄端子１１の端子部１１ｃの高さＬ２よりも若干高くして、第１雌端子１０Ａと雄端子１１を挿入しやすく、かつ、確実に係止できる構成としている。
【００１９】
図５に示すように、雄コネクタ３０の端子収容室３１に雄端子１１と第１雌端子１０Ａを挿入すると、第１雌端子１０Ａと雄端子１１の係止穴１０ｄ、１１ｄに端子収容室３１内の係止片３６が係止されて、第１雌端子１０Ａと雄端子１１が端子収容室３１内に係止される。この状態で、雄端子１１のタブ１１ａを端子収容室３１からコネクタ嵌合部３２へ突出させる一方、第１雌端子１０Ａの電気接続部１０ａにスプライス用バスバー２０の第１タブ２０ｂ−１を挿入係止して、第２タブ２０ｂ−２を端子収容室３１からコネクタ嵌合部３２へ突出させる。この状態で、雄端子１１のタブ１１ａの先端とスプライス用バスバー２０の第２タブ２０ｂ−２の先端とが同一線上に配置されている。
【００２０】
本実施形態では、雄コネクタ３０の端子収容室３１に２つの雄端子１１Ａ、１１Ｂと２つの第１雌端子１０Ａ−１、１０Ａ−２を収容し、第１雌端子１０Ａ−１には両側にそれぞれ２つの第１タブ２０ｂ−１と第２タブ２０ｂ−２を備えたスプライス用バスバー２０Ａを接続し、第１雌端子１０Ａ−２には両側にそれぞれ４つの第１タブ２０ｂ−１と第２タブ２０ｂ−２を備えたスプライス用バスバー２０Ｂを接続している（図８参照）。
【００２１】
図６は、雄コネクタ３０のコネクタ嵌合部３２に収容する雌コネクタ４０を示し、該雌コネクタ４０はドアハーネスを構成する電線ｗ２の端末に接続されるものである。
雌コネクタ４０は複数の端子収容室４１を備え、第２雌端子１０Ｂのみを収容している。端子収容室４１の内面にも係止片４２を設け、挿入した第２雌端子１０Ｂの係止穴１０ｄに係止して、第２雌端子１０Ｂを端子収容室４１内に係止している。本実施形態では、雌コネクタ４０の端子収容室４１に８個の第２雌端子１０Ｂを収容している。
【００２２】
上記構成からなる雄コネクタ３０と雌コネクタ４０とは、図７（Ａ）に示すように、雄コネクタ３０のコネクタ嵌合部３２に雌コネクタ４０を収容すると、図７（Ｂ）に示すように、コネクタ嵌合部３２に突出する雄端子１１のタブ１１ａとスプライス用バスバー２０の第２タブ２０ｂ−２が、雌コネクタ４０内に収容した第２雌端子１０Ｂの電気接触部１０ａに挿入される。
即ち、図８の概略図に示すように、雄コネクタ３０に収容された２つの雄端子１１Ａ、１１Ｂは雌コネクタ４０に収容された第２雌端子１０Ｂにそれぞれ接続されてスルー回路を形成する。一方、雄コネクタ３０に収容された第１雌端子１０Ａ−１はスプライス用バスバー２０Ａを介して雌コネクタ４０に収容した２つの第２雌端子１０Ｂと接続されてスプライス回路を形成する。同様に、第１雌端子１０Ａ−２はスプライス用バスバー２０Ｂを介して雌コネクタ４０に収容した４つの第２雌端子１０Ｂと接続されてスプライス回路を形成する。
【００２３】
上記したように、雄コネクタ３０の端子収容室は雌雄共用としているため、雄端子１１と第１雌端子１０Ａの両方を収容係止することができ、よって、第２雌端子１０Ｂのみを収容した雌コネクタ４０と嵌合接続すると、スルー回路とスプライス回路の両用が同時に形成できる。よって、従来必要とされた中間ハウジングが不要となり、かつ、スルー回路は中継端子を介さずに直接接続でき、部品点数及び作業工数を削減することができる。
【００２４】
なお、本実施形態では、雄コネクタに収容した１つの第１雌端子と雌コネクタに収容した複数の第２雌端子とをスプライス用バスバーを介して接続しスプライス回路を形成しているが、複数同士の第１雌端子と第２雌端子をスプライス用バスバーを介して接続してもよいし、複数の第１雌端子と１つの第２雌端子をスプライス用バスバーを介して接続してもよい。
【００２５】
【発明の効果】
以上の説明より明らかなように、本発明によれば、雄コネクタの端子収容室を雌雄共用としているため雄端子と第１雌端子の両方が収容できる。第１雌端子にスプライス用バスバーを継ぎ足して先端に雄端子のタブを突出させているため、雄コネクタのコネクタ嵌合部には相手方の雌コネクタの雌端子と嵌合接続できる雄端子（タブ）のみが突出し、中間ハウジングを介在させることなく、雄コネクタを雌コネクタと直接に嵌合させることができる。その結果、雄コネクタの雄端子と雌コネクタの雌端子とを直接接続してスルー回路を形成できると共に、雄コネクタの第１雌端子とスプライス用バスバーとの組み合わせで、スプライス回路も同時に形成することできる。
これにより、雄コネクタに収容している雌端子に予めバスバーを取り付けておくと、従来使用していた中間ハウジングが不要となり、かつ、スルー回路形成用の中継端子も不要となり、部品点数及び作業工数を削減することができる。
【図面の簡単な説明】
【図１】雌端子を示し（Ａ）は斜視図、（Ｂ）は左側面図である。
【図２】（Ａ）は雌端子にスプライス用バスバーを取り付ける方法を示す斜視図、（Ｂ）はスプライス用バスバーを取り付けた雌端子の左側面図、（Ｃ）（Ｄ）は電気接続部の要部拡大断面図である。
【図３】雄端子を示し（Ａ）は斜視図、（Ｂ）は左側面図である。
【図４】雄コネクタを示し、（Ａ）は斜視図、（Ｂ）は断面図である。
【図５】雄コネクタに雄端子と第１雌端子を収容した状態を示す断面図である。
【図６】（Ａ）は雌コネクタの斜視図、（Ｂ）は雌コネクタの断面図、（Ｃ）は雌コネクタに第２雌端子を収容した状態を示す断面図である。
【図７】（Ａ）は雄コネクタと雌コネクタをコネクタ接続する方法を示す斜視図、（Ｂ）はコネクタ接続した雄コネクタと雌コネクタの断面図である。
【図８】スルー回路とスプライス回路の概略図である。
【図９】（Ａ）（Ｂ）は従来例を示す図面である。
【符号の説明】
１０Ａ  第１雌端子
１０Ｂ  第２雌端子
１０ｄ  係止穴
１１  雄端子
１１ｄ  係止穴
２０  バスバー
２０ｂ  タブ
３０  雄コネクタ
３１  端子収容室
３２  コネクタ嵌合部
３６  係止片
４０  雌コネクタ
４１  端子収容室
４２  係止片
【図１】
2004273269.tif 000003
【図２】
2004273269.tif 000004
【図３】
2004273269.tif 000005
【図４】
2004273269.tif 000006
【図５】
2004273269.tif 000007
【図６】
2004273269.tif 000008
【図７】
2004273269.tif 000009
【図８】
2004273269.tif 000010
【図９】
2004273269.tif 000011